(57)【特許請求の範囲】
【請求項１】
書類の搬送路、当該書類に記載された書類記載情報を取得する書類記載情報取得手段、書類の切断手段、書類の印刷状態に応じた状態区分を複数設定した状態区分データベースと、当該状態区分に該当する、用紙サイズおよび数量をパラメータに有する書類の量を示す区分該当量を記憶する区分該当量記憶領域と、を有する記憶手段、および各手段の動作を制御する処理手段、を備える用紙発注用シュレッダーであって、
前記書類記載情報取得手段と前記切断手段とを、当該書類記載情報取得手段が前記切断手段の上流側となるように前記搬送路に設けるとともに、
複数の前記状態区分に応じた切断書類収納部と、
前記切断手段から当該切断書類収納部への前記搬送路を管理する搬送制御手段と、
を有し、
前記処理手段は、
前記切断手段により前記書類を切断する前に、前記書類記載情報取得手段を介して取得した前記書類記載情報を前記記憶手段に格納し、
格納した当該書類記載情報に基づき、前記状態区分データベースを参照して当該書類に対応する状態区分を特定し、
前記切断する書類に対応する区分該当量を特定し、
特定した前記状態区分と前記区分該当量とを関連付けて、用紙発注のために前記記憶手段に格納し、
切断した前記書類を、当該書類の前記状態区分に応じた切断書類収納部に収納する制御情報を前記搬送制御手段に送る、
ことを特徴とする用紙発注用シュレッダー。
【請求項２】
請求項１に記載の用紙発注用シュレッダーにおいて、
前記状態区分は、少なくとも、白黒印刷またはカラー印刷の別、または書類の印刷領域の面積比率の、いずれか一方に基づく
ことを特徴とする用紙発注用シュレッダー。
【請求項３】
外部システムとの通信手段、情報の記憶手段、および各手段の動作を制御する処理手段、を備える用紙発注システムにおいて、
前記外部システムは、当該書類に記載された書類記載情報を切断前に取得する書類記載情報取得手段と、書類の印刷状態に応じた状態区分を設定した状態区分データベースとを備えるシュレッダーを含み、
前記記憶手段は、前記状態区分に応じた用紙発注量を設定した区分対応発注量データベースを有するものであって、
前記処理手段は、
前記書類記載情報取得手段を介して取得された書類記載情報に基づき前記状態区分データベースを参照して特定された状態区分と、当該状態区分に該当する、用紙サイズおよび数量をパラメータに有する書類の量を示す区分該当量とを、前記シュレッダーから前記通信手段を介して受け付け、受け付けた当該状態区分と当該区分該当量とを関連付けて前記記憶手段に格納し、
格納されている前記状態区分のそれぞれについて、関連付けられている区分該当量を積算し、当該積算された値に、前記区分対応発注量データベースに設定されている当該状態区分に対する用紙発注量を乗算することにより、当該状態区分における用紙の売却枚数を求め、各状態区分について求められた当該売却枚数を累積的に加算して総売却枚数を確定し、発注する用紙のうち、確定した当該総売却枚数に相当する分量を相殺するように当該発注に必要な支払額を調整するよう指示する発注情報を生成し、
生成した前記発注情報を前記外部システムへ前記通信手段を介して送信する、
ことを特徴とする用紙発注システム。
【請求項４】
請求項３に記載の用紙発注システムにおいて、
前記状態区分は、少なくとも、白黒印刷またはカラー印刷の別、または書類の印刷領域の面積比率の、いずれか一方に基づく
ことを特徴とする用紙発注システム。
【請求項５】
外部システムとの通信手段、情報の記憶手段、および各手段の動作を制御する処理手段とを備える用紙発注システムにおいて、
前記外部システムは、当該書類に記載された書類記載情報を切断前に取得する書類記載情報取得手段を備えるシュレッダーを含み、
前記記憶手段は、書類の印刷状態に応じた状態区分を設定した状態区分データベースと、当該状態区分に該当する、用紙サイズおよび数量をパラメータに有する書類の量を示す区分該当量を記憶する区分該当量記憶領域と、前記状態区分に応じた用紙発注量を設定した区分対応発注量データベースと、を有するものであって、
前記処理手段は、
前記書類記載情報取得手段が取得した書類記載情報を、前記シュレッダーから前記通信手段を介して受け付け、当該書類記載情報に基づき前記状態区分データベースを参照して当該書類に対応する状態区分を特定するとともに、前記区分該当量を特定し、
特定した前記状態区分と前記区分該当量とを関連付けて前記記憶手段に格納し、
格納されている前記状態区分のそれぞれについて、関連付けられている区分該当量を積算し、当該積算した値に、前記区分対応発注量データベースに設定されている当該状態区分に対する用紙発注量を乗算することにより、当該状態区分における用紙の売却枚数を求め、各状態区分について求められた当該売却枚数を累積的に加算して総売却枚数を確定し、発注する用紙のうち、確定した当該総売却枚数に相当する分量を相殺するように当該発注に必要な支払額を調整するよう指示する発注情報を生成し、
生成した前記発注情報を前記外部システムへ前記通信手段を介して送信する、
ことを特徴とする用紙発注システム。
【請求項６】
請求項５に記載の用紙発注システムにおいて、
前記状態区分は、少なくとも、白黒印刷またはカラー印刷の別、または書類の印刷領域の面積比率の、いずれか一方に基づく
ことを特徴とする用紙発注システム。
【請求項７】
請求項３乃至請求項６のいずれか１項に記載の用紙発注システムにおいて、
前記処理手段は、
前記シュレッダーから前記書類記載情報を受け付けるとともに、当該書類記載情報を提供した利用者に固有の認証情報を受け付け、
受け付けた認証情報と、前記特定した状態区分と前記区分該当量とを関連付け、および／または、受け付けた認証情報と、前記発注情報とを関連付けて前記記憶手段に格納し、
前記認証情報に基づき、前記特定した状態区分と前記区分該当量の解析用データを、および／または、前記認証情報に基づき、前記発注情報の解析用データを生成する、
ことを特徴とする用紙発注システム。
【請求項８】
外部システムとの通信手段、情報の記憶手段、および各手段の動作を制御する処理手段、を備えるシステムにおける、ネットワーク用紙発注方法であって、
前記外部システムは、書類に記載された書類記載情報を切断前に取得する書類記載情報取得手段を備えるシュレッダーを含み、
前記記憶手段は、書類の印刷状態に応じた状態区分を設定した状態区分データベースと、当該状態区分に該当する、用紙サイズおよび数量をパラメータに有する書類の量を示す区分該当量を記憶する区分該当量記憶領域と、前記状態区分に応じた用紙発注量を設定した区分対応発注量データベースと、を備え、
前記処理手段が、
前記書類記載情報取得手段が取得した書類記載情報を、前記シュレッダーから前記通信手段を介して受け付け、当該書類記載情報に基づき前記状態区分データベースを参照して当該書類に対応する状態区分を特定するとともに、前記区分該当量を特定するステップと、
当該特定した状態区分と区分該当量とを互いに関連付けて前記記憶手段に格納するステップと、
格納されている前記状態区分のそれぞれについて、関連付けられている区分該当量を積算し、当該積算した値に、前記区分対応発注量データベースに設定されている当該状態区分に対する用紙発注量を乗算することにより、当該状態区分における用紙の売却枚数を求め、各状態区分について求められた当該売却枚数を累積的に加算して総売却枚数を確定し、発注する用紙のうち、確定した当該総売却枚数に相当する分量を相殺するように当該発注に必要な支払額を調整するよう指示する発注情報を生成するステップと、
生成した前記発注情報を前記外部システムへ前記通信手段を介して送信するステップと、
を含むことを特徴としたネットワーク用紙発注方法。
【請求項９】
請求項８に記載のネットワーク用紙発注方法において、
前記状態区分は、少なくとも、白黒印刷またはカラー印刷の別、または書類の印刷領域の面積比率の、いずれか一方に基づく
ことを特徴とするネットワーク用紙発注方法。
【発明の詳細な説明】
【０００１】
【発明の属する技術分野】
本発明は、リサイクルを考慮した用紙発注用シュレッダー、用紙発注システム、およびネットワーク用紙発注方法に関する。
【０００２】
【従来の技術】
現代のオフィスにおいては、シュレッダーにより機密事項が記載された書類の廃棄処理を行うことが日常的に行われている。そして、切断された書類（シュレッダーダスト）は、清掃業者等にごみとして回収される。
【０００３】
また、その一方で、オフィスにおいてはデジタル化が押し進められているものの、従前通り書類作成のために用紙を注文し、所定の代金を支払うといった発注／支払業務もまた必須となっている。
【０００４】
【発明が解決しようとする課題】
上述したような状況下において、環境問題として、事業系ごみの削減が重要視されてきており、このため、シュレッダーダストは、重量に比してかさばるなど、事業系ごみの中でも取り扱いが難しく、その処分の解決策が求められていた。
【０００５】
また、資源のリサイクルが社会全体の課題となっている昨今では、無条件に紙を消費する姿勢は、企業イメージにも悪影響をおよぼす可能性が否めない感があった。
【０００６】
【発明の目的】
そこで、本発明では、シュレッダーダストをごみとして扱うのではなく、リサイクル用の原材料として扱うという着想に基づき、リサイクルの一環として、リサイクル原材料の提供に応じてオフィスで使用される用紙の発注／支払業務を行う新しいサービス形態の提供を目的とする。
【０００７】
【課題を解決するための手段】
上記目的を達成するため、本発明の第１の観点に係る用紙発注用シュレッダーは、
書類の搬送路、当該書類に記載された書類記載情報を取得する書類記載情報取得手段、書類の切断手段、書類の印刷状態に応じた状態区分を複数設定した状態区分データベースと、当該状態区分に該当する、用紙サイズおよび数量をパラメータに有する書類の量を示す区分該当量を記憶する区分該当量記憶領域とを有する記憶手段、および各手段の動作を制御する処理手段、を備える。
【０００８】
また、前記用紙発注用シュレッダーにおいて、前記書類記載情報取得手段と前記切断手段とを、当該書類記載情報取得手段が前記切断手段の上流側となるように前記搬送路に設けるとともに、
複数の前記状態区分に応じた切断書類収納部と、
前記切断手段から当該切断書類収納部への前記搬送路を管理する搬送制御手段と、
を有する。
【０００９】
そして、前記処理手段は、
前記切断手段により前記書類を切断する前に、前記書類記載情報取得手段を介して取得した前記書類記載情報を前記記憶手段に格納し、
格納した当該書類記載情報に基づき、前記状態区分データベースを参照して当該書類に対応する状態区分を特定し、
前記切断する書類に対応する区分該当量を特定し、
特定した前記状態区分と前記区分該当量とを関連付けて、用紙発注のために前記記憶手段に格納し、
切断した前記書類を、当該書類の前記状態区分に応じた切断書類収納部に収納する制御情報を前記搬送制御手段に送る。
【００１０】
本発明によると、状態区分を特定し、その状態区分に応じた切断書類収納部に切断した書類を収納するので、リサイクル費用を考慮したシュレッダーダストの仕分けができる。
【００１１】
また、用紙発注用シュレッダーにおいて、前記状態区分は、少なくとも、白黒印刷またはカラー印刷の別、または書類の印刷領域の面積比率の、いずれか一方に基づく、ようにしてもよい。
【００１２】
本発明によると、複数の状態区分を用いるので、リサイクルコストの適正化が図れる。
【００１３】
また、本発明の第２の観点に係る用紙発注システムは、外部システムとの通信手段、情報の記憶手段、および各手段の動作を制御する処理手段を備える用紙発注システムであって、
前記外部システムは、当該書類に記載された書類記載情報を切断前に取得する書類記載情報取得手段と、書類の印刷状態に応じた状態区分を設定した状態区分データベースとを備えるシュレッダーを含み、
前記記憶手段は、前記状態区分に応じた用紙発注量を設定した区分対応発注量データベースを有する。
【００１４】
そして、前記処理手段は、
前記書類記載情報取得手段を介して取得された書類記載情報に基づき前記状態区分データベースを参照して特定された状態区分と、当該状態区分に該当する、用紙サイズおよび数量をパラメータに有する書類の量を示す区分該当量とを、前記シュレッダーから前記通信手段を介して受け付け、受け付けた当該状態区分と当該区分該当量とを関連付けて前記記憶手段に格納し、
格納されている前記状態区分のそれぞれについて、関連付けられている区分該当量を積算し、当該積算された値に、前記区分対応発注量データベースに設定されている当該状態区分に対する用紙発注量を乗算することにより、当該状態区分における用紙の売却枚数を求め、各状態区分について求められた当該売却枚数を累積的に加算して総売却枚数を確定し、発注する用紙のうち、確定した当該総売却枚数に相当する分量を相殺するように当該発注に必要な支払額を調整するよう指示する発注情報を生成し、
生成した前記発注情報を前記外部システムへ前記通信手段を介して送信する。
【００１５】
本発明によると、状態区分に基づき発注情報の生成をするので、リサイクル費用を考慮した発注を実現できる。
【００１６】
また、用紙発注システムにおいて、前記状態区分は、少なくとも、白黒印刷またはカラー印刷の別、または書類の印刷領域の面積比率の、いずれか一方に基づく、ようにしてもよい。
【００１７】
本発明によると、複数の状態区分を用いるので、リサイクル費用の適正化が図れる。
【００１８】
本発明の第３の観点に係る用紙発注システムは、
外部システムとの通信手段、情報の記憶手段、および各手段の動作を制御する処理手段とを備える用紙発注システムであって、
前記外部システムは、当該書類に記載された書類記載情報を切断前に取得する書類記載情報取得手段を備えるシュレッダーを含み、
前記記憶手段は、書類の印刷状態に応じた状態区分を設定した状態区分データベースと、当該状態区分に該当する、用紙サイズおよび数量をパラメータに有する書類の量を示す区分該当量を記憶する区分該当量記憶領域と、前記状態区分に応じた用紙発注量を設定した区分対応発注量データベースと、を有する。
【００１９】
そして、前記処理手段は、
前記書類記載情報取得手段が取得した書類記載情報を、前記シュレッダーから前記通信手段を介して受け付け、当該書類記載情報に基づき前記状態区分データベースを参照して当該書類に対応する状態区分を特定するとともに、前記区分該当量を特定し、
特定した前記状態区分と前記区分該当量とを関連付けて前記記憶手段に格納し、
格納されている前記状態区分のそれぞれについて、関連付けられている区分該当量を積算し、当該積算した値に、前記区分対応発注量データベースに設定されている当該状態区分に対する用紙発注量を乗算することにより、当該状態区分における用紙の売却枚数を求め、各状態区分について求められた当該売却枚数を累積的に加算して総売却枚数を確定し、発注する用紙のうち、確定した当該総売却枚数に相当する分量を相殺するように当該発注に必要な支払額を調整するよう指示する発注情報を生成し、
生成した前記発注情報を前記外部システムへ前記通信手段を介して送信する。
【００２０】
本発明によると、状態区分に基づき発注情報の生成をするので、リサイクル費用を考慮した発注を実現できる。
【００２１】
また、用紙発注システムにおいて、前記状態区分は、少なくとも、白黒印刷またはカラー印刷の別、または書類の印刷領域の面積比率の、いずれか一方に基づく、ようにしてもよい。
【００２２】
本発明によると、複数の状態区分を用いるので、リサイクル費用の適正化が図れる。
【００２３】
また、用紙発注システムにおいて、
前記処理手段は、
前記シュレッダーから前記書類記載情報を受け付けるとともに、当該書類記載情報を提供した利用者に固有の認証情報を受け付け、
受け付けた認証情報と、前記特定した状態区分と前記区分該当量とを関連付け、および／または、受け付けた認証情報と、前記発注情報とを関連付けて前記記憶手段に格納し、
前記認証情報に基づき、前記特定した状態区分と前記区分該当量の解析用データを、および／または、前記認証情報に基づき、前記発注情報の解析用データを生成する、ようにしてもよい。
【００２４】
本発明によると、認証情報に基づき解析用データを生成するので、利用者を確実に特定した情報を取得できる。
【００２５】
本発明の第４の観点に係るネットワーク用紙発注方法は、
外部システムとの通信手段、情報の記憶手段、および各手段の動作を制御する処理手段、を備えるシステムにおける、ネットワーク用紙発注方法であって、
前記外部システムは、書類に記載された書類記載情報を切断前に取得する書類記載情報取得手段を備えるシュレッダーを含み、
前記記憶手段は、書類の印刷状態に応じた状態区分を設定した状態区分データベースと、当該状態区分に該当する、用紙サイズおよび数量をパラメータに有する書類の量を示す区分該当量を記憶する区分該当量記憶領域と、前記状態区分に応じた用紙発注量を設定した区分対応発注量データベースと、を備え、
前記処理手段が、
前記書類記載情報取得手段が取得した書類記載情報を、前記シュレッダーから前記通信手段を介して受け付け、当該書類記載情報に基づき前記状態区分データベースを参照して当該書類に対応する状態区分を特定するとともに、前記区分該当量を特定するステップと、
当該特定した状態区分と区分該当量とを互いに関連付けて前記記憶手段に格納するステップと、
格納されている前記状態区分のそれぞれについて、関連付けられている区分該当量を積算し、当該積算した値に、前記区分対応発注量データベースに設定されている当該状態区分に対する用紙発注量を乗算することにより、当該状態区分における用紙の売却枚数を求め、各状態区分について求められた当該売却枚数を累積的に加算して総売却枚数を確定し、発注する用紙のうち、確定した当該総売却枚数に相当する分量を相殺するように当該発注に必要な支払額を調整するよう指示する発注情報を生成するステップと、
生成した前記発注情報を前記外部システムへ前記通信手段を介して送信するステップと、
を含む。
【００２７】
本発明によると、状態区分に基づき発注情報の生成をするので、リサイクル費用を考慮した発注を実現できる。
【００２８】
また、ネットワーク用紙発注方法において、
前記状態区分は、少なくとも、白黒印刷またはカラー印刷の別、または書類の印刷領域の面積比率の、いずれか一方に基づく、ようにしてもよい。
【００２９】
本発明によると、複数の状態区分を用いるので、リサイクル費用の適正化が図れる。
【００３０】
以上により、前述した目的を達成しようとするものである。
【００３１】
【発明の実施の形態】
〔第１実施形態〕
【００３２】
以下、本発明の第１の実施形態を図１乃至図５に基づいて説明する。本実施形態では、切断された書類（シュレッダーダスト）を再生紙用の原材料として、用紙発注用シュレッダー１０の利用者が提供し、その対価に相当する上質紙または再生紙などの用紙を自動的に発注するビジネス形態を実現する。
【００３３】
図１は、本実施形態にかかる用紙発注システムが接続されたネットワーク全体を示す全体ブロック図である。図１に示したように、用紙発注用シュレッダー１０、用紙発注システム３０、および情報端末４０がネットワーク１を介して接続されている。
【００３４】
本実施形態におけるネットワーク１は、インターネットを想定しており、さらにこのネットワーク１には電話回線網などのネットワーク２を介してモバイルＰＣ３や携帯電話４などの情報携帯端末が接続可能である。これらの情報携帯端末は、例えば、シュレッダー１０が生成するシュレッダーダストの回収業者に常備させ、回収指示を送る場合などに用いる。ただし、ネットワーク１の形態は、特にインターネットに限られるものではなく、専用回線を用いたネットワークなどであってもよいし、多形態のネットワークを組み合わせた複合ネットワークであってもよい。
【００３５】
また、図１において、用紙発注用シュレッダー１０、用紙発注システム３０、および情報端末４０を各一つづつ記載しているが、特にその数に限られるものではなく、複数接続された用紙発注用シュレッダー１０を用紙発注システム３０が統括管理するなど、それぞれが複数設けられた構成であってもよい。
【００３６】
以下、相互にネットワーク接続された用紙発注用シュレッダー１０、用紙発注システム３０、および情報端末４０について、各々説明する。
【００３７】
最初に、用紙発注用シュレッダー１０を説明する。用紙発注用シュレッダー１０は、図１に示すように、情報の記憶手段１１、外部装置との通信手段１２、および各手段の動作を制御する処理手段１３を備える。また、用紙発注用シュレッダー１０は、さらに書類記載情報取得手段１４を有する。
【００３８】
記憶手段１１は、例えばＲＡＭ、ＲＯＭ、ＨＤＤ等のデータを格納することができる記憶媒体を備えるものである。ただし、特定の一の媒体に限られるものではなく、複数の記憶媒体を組み合わせた構成であってもよい。また、記憶手段１１は、シュレッダー１０のグレードや設置場所などを考慮した、シュレッダー１０に固有のシュレッダー識別情報を、所定の領域に備える。このシュレッダー識別情報は、用紙発注システム３０が複数のシュレッダー１０を統括管理する場合などに用いられる。
【００３９】
そして、記憶手段１１は、書類記載情報記憶領域１１ａと、書類の印刷状態に応じた状態区分を複数設定した状態区分データベース（状態区分ＤＢ）１１ｂと、状態区分に該当する書類の区分該当量を記憶する区分該当量記憶領域１１ｃとを、それぞれ所定の記憶領域に有する。なお、書類記載情報記憶領域１１ａと状態区分データベース１１ｂと区分該当量記憶領域１１ｃとは、図１に示したように一の記憶手段１１に格納される形態に限られるものではなく、記憶手段１１が複数の媒体から構成される場合には、分散配置されるなど、必要に応じてその格納形態を変更してよいことは言うまでもない。
【００４０】
ここで、書類記載情報記憶領域１１ａは、切断前の書類に記載されていた書類記載情報を格納する領域である。書類記載情報は、用紙発注用シュレッダー１０の書類記載情報取得手段１４が取得した情報そのままに限られず、当該取得した情報に基づいて再生成・加工されたものであってもよい。具体的には、画像情報形式（画像フォーマット）に限られるものではなく、文書情報形式（閲覧用フォーマット）で格納されてもよい。
【００４１】
状態区分データベース１１ｂは、切断される書類の印刷状態に応じた状態区分を定めたデータベースである。状態区分は、少なくとも、白黒印刷またはカラー印刷の別、または書類の印刷領域の面積比率の、いずれか一方に基づくものであればよい。図２に、本実施形態にかかる状態区分データベース１１ｂのデータ構造図の一例を示す。
【００４２】
図２に示したように、状態区分データベース１１ｂは、各々の区分Ｃ１，Ｃ２，Ｃ３，Ｃ４，ＢＷ１，ＢＷ２，ＢＷ３，ＢＷ４に該当する書類の別を規定する。ここで、区分コードとは、書類の印刷状態に応じた区分を表す記号であり、印刷種別とは、例えばカラー印刷や白黒印刷など、印刷に使用されるインクやトナーなどの種類または組合せに応じた印刷形態を表し、面積比率とは、書類の印刷が施された面の総面積を分母とし、実際に印刷がなされた領域の面積を分子として算出した比率をいう。
【００４３】
具体的には、本実施形態では、白黒印刷またはカラー印刷の別により区分し、さらに、書類の印刷領域の面積比率で細分する。白黒印刷であって、印刷領域が２５％以下、５０％以下、７５％以下、１００％以下に該当する区分コードＢＷ１，ＢＷ２，ＢＷ３，ＢＷ４の４グループと、カラー印刷であって、印刷領域が２５％以下、５０％以下、７５％以下、１００％以下に該当する区分コードＣ１，Ｃ２，Ｃ３，Ｃ４の４グループの計８グループに分別する。この区分けは、インクやトナーの脱色や漂白などのリサイクル処理の手間を考慮したものであり、この区分けを細分化することにより、シュレッダーダストを処理する手間の多寡に応じた分別収納を可能とする。
【００４４】
なお、状態区分の区分数やその境界の設定基準は、上記８パターンに限られるものではなく、状態区分は、少なくとも、白黒印刷またはカラー印刷の別、または書類の印刷領域の面積比率の、いずれか一方に基づくものであればよい。例えば、シュレッダーダストのリサイクル処理に応じたものであれば、カラー印刷（インク又はトナー５種）、モノカラー印刷（インク又はトナー２種）、白黒印刷（インク又はトナー１種）のように区分けしてもよい。また、印刷の面積比率を１０％刻みの細かな分類としてもよい。
【００４５】
ただし、面積比率は、基準となる用紙単位で、その用紙に使用されているインク又はトナーの量を概算的に取得するための目安であり、原則的な基準である。したがって、両面印刷のような特殊な印刷形態では、面積比率を元に、単位用紙あたりに使用されたインク又はトナーの量を算定する。具体的には、表面が２５％、裏面が５０％であれば、面積比率を７５％として取り扱う。
【００４６】
続いて、区分該当量記憶領域１１ｃは、上述した状態区分データベース１１ｂに設定された状態区分に該当する書類の区分該当量を記憶する記憶領域である。ここで、区分該当量とは、各状態区分に該当する書類の量をいい、用紙サイズと数量とをパラメータに有するものである。したがって、所定の基準用紙サイズを設定し、切断する書類の用紙サイズをその基準用紙サイズに換算した場合の量を区分該当量としてもよいし、換算しないで直接的に用紙サイズと数量を関連付けた量的パラメータとしてもよい。換算しない場合の例としては、Ａ３サイズ１枚、Ｂ４サイズ１枚というカウントの仕方が挙げられる。
【００４７】
本実施形態では、区分該当量を、所定の基準用紙サイズに相当する数量に換算した数値（換算数量）とする。具体的には、基準用紙サイズをＡ４とし、シュレディングする用紙がＡ４サイズなら数量を１、Ａ３サイズなら数量を２、Ｂ４サイズなら数量を１．５とする。ただし、Ａ４の両面印刷などの場合でも、用紙は１枚であるので、区分該当量は１とされる。なお、基準用紙サイズはＡ４に限られるものではなく、シュレッダー利用に対する課金体系など、利用者とサービス提供者の間で任意に定めればよい。例えば、Ｂ５サイズを基準としてもよい。
【００４８】
続いて、図１に示した通信手段１２は、用紙発注システム３０などの外部装置との間で情報の送受信を行う手段であり、例えば、データ送受信機能を備えたルータなどの通信機器に対し、情報の授受を行うインターフェースをいう。
【００４９】
処理手段１３は、例えばＣＰＵ等の演算処理装置を含むものであり、前述した書類記載情報記憶領域１１ａなど、記憶手段１１の所定の領域に対するデータの記憶（格納）処理や読み出し（取得）処理、通信手段１２に対するデータの送信（受け渡し）処理や取得（受け付け）処理など、各種処理を実現する。処理に際しては、記憶手段１１の所定の領域に格納された処理手順にしたがう。なお、処理手順は、プログラムなどのかたちで処理手段１３に対して提供される。また、これらの処理は、例えば、単一のＣＰＵにより実行されるものであってもよいし、複数のＣＰＵによる分散処理がなされるものであってもよい。
【００５０】
書類記載情報取得手段１４は、用紙発注用シュレッダー１０により切断される書類に記載された情報を、当該書類から取得する手段であり、例えば、光学式スキャナなどが挙げられる。なお、「切断」の形態は、麺類のように細長く細断するものに限られず、細い幅の短冊状に切断するものや、微細片（パーティクル）状に切断するものなどを含む。
【００５１】
なお、上述した記憶手段１１、通信手段１２、および処理手段１３は、情報処理部を構成するが、この情報処理部は、図１に示したように、用紙発注用シュレッダー１０に対して一体的に設けられていてもよいし、シュレッダー本体と別体として独立的に設けられ相互接続されている構成であってもよい。
【００５２】
次に、用紙発注システム３０を説明する。用紙発注システム３０は、情報の記憶手段３１、外部システムとの通信手段３２、および各手段の動作を制御する処理手段３３を有する。
【００５３】
記憶手段３１は、例えばＲＡＭ、ＲＯＭ、ＨＤＤ等のデータを格納することができる記憶媒体を備えるものである。ただし、特定の一の媒体に限られるものではなく、複数の記憶媒体を組み合わせた構成であってもよい。
【００５４】
そして、本実施形態において、記憶手段３１は、前述した状態区分に応じた用紙発注量を設定した区分対応発注量データベース（区分対応発注量ＤＢ）３１ａを有する。なお、区分対応発注量データベース３１ａは、図１に示したように一の記憶手段３１に格納される形態に限られるものではなく、記憶手段３１が複数の媒体から構成される場合には、分散配置されるなど、必要に応じてその格納形態を変更してよいことは言うまでもない。
【００５５】
ここで、区分対応発注量データベース３１ａは、用紙発注用シュレッダー１０が備える状態区分データベース１１ｂの状態区分に応じた区分対応発注量を設定したデータベースである。図３に区分対応発注量データベース３１ａのデータ構造図の一例を示す。
【００５６】
図３に示したように、区分対応発注量データベース３１ａは、図２に示した状態区分データベース１１ｂの状態区分に対応するように、区分コード毎の区分対応発注量を規定する。
【００５７】
そして、前述したように、シュレッダーダストを再生紙用の原材料として、用紙発注用シュレッダー１０の利用者が提供するシステムを採用していることから、区分対応発注量データベース３１ａは、シュレッダーダストの買い取り代金に相当する発注枚数として区分対応発注量を設定する。ここで、前述したように、区分該当数量を換算数量としているので、区分対応発注量は単位換算数量あたりの発注レートを設定している。ゆえに、区分該当数が、前述した用紙サイズと数量の量的パラメータである場合には、用紙サイズ毎の単価等を設定する構成とするか、もしくは事前に区分該当量を換算する処理を行うことになる。
【００５８】
本実施形態においては、基準用紙サイズ単位の状態区分コードに応じた区分対応発注量を設定する。リサイクルにかかる費用は、一般に、脱色や漂白の工程に支配され、インクやトナーの種類が多くなればより高くなり、また、印刷領域が多くなればより高くなる。このため、本実施形態の状態区分でいうと、白黒印刷で面積比率２５％以下の区分ＢＷ１が一番リサイクル費用が少なく、カラー印刷で面積比率１００％以下の区分Ｃ４が一番リサイクル費用が多い。したがって、シュレッダーダストを再生紙の原材料として販売したとき、リサイクル費用が考慮されるので、販売価格が最も高くなるのはＢＷ１であり、最も安くなるのはＣ４である。ゆえに、区分対応発注量として単位量あたりに用紙と交換できる枚数は、区分ＢＷ１が最も多く、区分Ｃ４が最も少ないものとなる。
【００５９】
なお、区分対応発注量データベース３１ａは、上記構成に限られるものではない。例えば、状態区分および区分該当量から販売価格を導き出す販売価格データベースと、各種用紙の販売価格を備えるデータベースとから構成し、販売価格を介在させて用紙発注量を特定する処理を可能とする複合型データベースを採用してもよい。
【００６０】
そして、図１に示した通信手段３２は、外部システムとの間で情報の送受信を行う手段であり、例えば、データ送受信機能を備えたルータなどの通信機器に対し、情報の授受を行うインターフェースをいう。ここで、外部システムとは、用紙発注システム３０が通信手段３２を介して接続し得るシステムをいい、例えば、用紙発注用シュレッダー１０が接続されたＬＡＮ（Local Area Network）システムなどの他、用紙発注用シュレッダー１０のみからなるシステム、情報端末４０、もしくは、モバイルＰＣ３や携帯電話４などが無線通信網からなるネットワーク２を介して相互に接続可能とされる通信回線網（情報ネットワーク）などが挙げられる。
【００６１】
また、処理手段３３は、例えばＣＰＵ等の演算処理装置を含むものであり、記憶手段３１の所定の領域に対するデータの記憶（格納）処理や読み出し（取得）処理を実現する。
【００６２】
さらに、処理手段３３は、記憶手段３１に対する処理だけでなく、通信手段３２に対するデータの送信（受け渡し）処理や取得（受け付け）処理など、各種処理を実現する。処理に際しては、記憶手段３１の所定の領域に格納された処理手順にしたがう。なお、処理手順は、プログラムなどのかたちで処理手段３３に対して提供される。また、これらの処理は、例えば単一のＣＰＵにより実行されるものであってもよいし、複数のＣＰＵによる分散処理がなされるものであってもよい。
【００６３】
続いて、シュレッダーダストの回収業者や、上質紙や再生紙などの用紙を供給する用紙供給業者等が使用する情報端末４０を説明する。情報端末４０は、情報の記憶手段４１、外部装置との通信手段４２、および各手段の動作を制御する処理手段４３を有する。そして、情報端末４０は、さらに表示手段４４と、入力手段４５とを備える。
【００６４】
ここで、記憶手段４１は、例えばＲＡＭ、ＲＯＭ、ＨＤＤ等のデータを格納することができる記憶媒体を備えるものであり、情報端末４０に固有の端末側記憶手段として機能する。ただし、特定の一の媒体に限られるものではなく、複数の記憶媒体を組み合わせた構成であってもよい。
【００６５】
通信手段４２は、用紙発注システム３０などの外部装置との間で情報の送受信を行う手段であり、例えば、データ送受信機能を備えたターミナルアダプタなどの通信機器に対し、情報の授受を行うインターフェースをいう。
【００６６】
処理手段４３は、例えばＣＰＵ等の演算処理装置を含むものであり、前述した記憶手段４１に対するデータの記憶（格納）処理や読み出し（取得）処理、通信手段４２に対するデータの送信（受け渡し）処理や取得（受け付け）処理など、各種処理を実現する。処理に際しては、記憶手段４１の所定の領域に格納された処理手順にしたがう。なお、処理手順は、プログラムなどのかたちで処理手段４３に対して提供される。また、これらの処理は、例えば単一のＣＰＵにより実行されるものであってもよいし、複数のＣＰＵによる分散処理がなされるものであってもよい。
【００６７】
表示手段４４は、例えば、ディスプレイなどの情報端末４０に接続される表示機器であり、表示手段４４の画面表示の制御は処理手段４３の管理下において行われる。
【００６８】
入力手段４５は、例えば、マウスやポインティングデバイス、キーボードなどの情報入力機器であり、入力される情報の受付は処理手段４３の管理下において行われる。
【００６９】
以下、用紙発注用シュレッダー１０について、図１および図４に基づき詳述する。図４は、用紙発注用シュレッダー１０の概略構成図である。図４において、図１と同一の構成部分については、同一の符号を付している。重複する構成部分については、その説明を省略する。
【００７０】
図１および図４に示したように、用紙発注用シュレッダー１０は、切断される書類の搬送路２０，２３，２７、当該書類に記載された書類記載情報を取得する書類記載情報取得手段１４、書類の切断手段２１、書類の印刷状態に応じた状態区分を複数設定した状態区分データベース１１ｂと当該状態区分に該当する書類の区分該当量を記憶する区分該当量記憶領域１１ｃとを有する記憶手段１１、外部装置との通信手段１２、および各手段の動作を制御する処理手段１３、とを備える。
【００７１】
ここで、用紙発注用シュレッダー１０において、書類記載情報取得手段１４と切断手段２１とを搬送路２０に設ける構成とするが、書類記載情報取得手段１４が切断手段２１の上流側となるように搬送路２０に設ける。また、用紙発注用シュレッダー１０は、印刷状態に応じた切断書類収納部２８と、切断手段２１から切断書類収納部２８への搬送路２７を管理する搬送制御手段２６を有する。
【００７２】
より詳細には、ストッカー１８は、切断する書類を保持する手段である。ストッカー１８内の書類は差込口１９を介して書類搬送路２０へ移動する。搬送用小型ローラ２２は、書類搬送路２０において書類を移動させる手段である。そして、書類搬送路２０は、差込口１９と切断手段２１とを結ぶ搬送路である。この書類搬送路２０において、切断手段２１の上流側に書類記載情報取得手段１４を設ける構成とすることにより、切断前の書類からの書類記載情報の取得を実現する。なお、図４においては、説明の容易のため、書類搬送路２０を簡略化して示したが、本実施形態では、不図示の書類反転手段により、書類記載情報取得手段１４が切断する書類の両面から書類記載情報を取得することが可能な構成を採用している。
【００７３】
切断手段２１は、搬送用小型ローラ２２およびカッター２１ａなどから構成され、書類を所定の形状に細断することにより、機密を保持しながら書類の廃棄を可能とする。切断ダスト搬送路（切断書類搬送路）２３は、切断手段２１により切断されダストとなった書類（以下、切断ダストと称する）を、圧縮手段２５に搬送する搬送路であり、この切断ダスト搬送路２３は、搬送用大型ローラ２４により駆動される。圧縮手段２５は、切断ダストを圧縮するものであり、この圧縮により切断ダストの体積をより小さくすることができ、ひいては切断ダストを保管するスペースを有効に活用できる。
【００７４】
圧縮ダスト搬送路２７は、圧縮手段２５により圧縮された切断ダスト（以下、圧縮ダストと称する）を切断書類収納部２８に搬送するための搬送路である。そして、本実施形態では、図４に示したように、切断書類収納部２８は、切断される書類の印刷状態に応じて複数の切断書類収納部２８ａ，２８ｂ，２８ｃ，２８ｄ，２８ｅ，２８ｆ，２８ｇ，２８ｈを備える。
【００７５】
ここで、切断書類収納部２８における分別収納は、前述した状態区分データベース１１ｂにおいて設定した状態区分データベースの区分にしたがう。具体的には、カラー印刷か、白黒印刷かにより大別し、さらに、各々の書類の印刷領域について、印刷領域が書類の総面積に対して２５％以下、２６％以上５０％以下、５１％以上７５％以下、７６％以上１００％以下というように小別している。結果として、合計８種類の収納区分を設定し、それに応じたかたちで、切断書類収納部２８ａ，２８ｂ，２８ｃ，２８ｄ，２８ｅ，２８ｆ，２８ｇ，２８ｈを設けている。
【００７６】
そして、センサー２９ａ，２９ｂ，２９ｃ，２９ｄ，２９ｅ，２９ｆ，２９ｇ，２９ｈは、切断書類収納部２８ａ，２８ｂ，２８ｃ，２８ｄ，２８ｅ，２８ｆ，２８ｇ，２８ｈのそれぞれに設けられたセンサーであり、収納部内の圧縮ダストが所定の量になったことを検知するとともに検知信号を生成し、処理手段１３に対して、生成した検知信号を送信することにより、所定の量に到達したことを報知する。本実施形態では、このセンサー群は、所定の量として各収納部のいわゆるオーバーフローを検知する。
【００７７】
また、搬送制御手段２６は、切断した書類を、切断前の書類の印刷状態に応じた各切断書類収納部２８ａ，２８ｂ，２８ｃ，２８ｄ，２８ｅ，２８ｆ，２８ｇ，２８ｈに対して確実に収納するように、圧縮された切断ダストの搬送を制御する手段である。
【００７８】
図５に、搬送制御手段２６の一例を示す。図５は、図４に示した搬送制御手段２６を圧縮手段２５が設けられた側から俯瞰した概略構成図である。図５に示したように、搬送制御手段２６は、処理手段１３の制御下で動作するガイドプレート２６ｂ，２６ｃ，２６ｄ，２６ｅ，２６ｆ，２６ｇ，２６ｈを備える。また、前述した圧縮ダスト搬送路２７を、すべての切断書類収納部２８ａ，２８ｂ，２８ｃ，２８ｄ，２８ｅ，２８ｆ，２８ｇ，２８ｈにわたる構成とした上で、前述したガイドプレート２６ｂ，２６ｃ，２６ｄ，２６ｅ，２６ｆ，２６ｇ，２６ｈを、圧縮ダスト搬送路２７を斜めに横断することができる長さとし、各切断書類収納部２８ｂ，２８ｃ，２８ｄ，２８ｅ，２８ｆ，２８ｇ，２８ｈに対応する位置に各々設ける。これらのガイドプレート２６ｂ，２６ｃ，２６ｄ，２６ｅ，２６ｆ，２６ｇ，２６ｈを、処理手段１３の管理下において作動させることにより搬送制御手段２６が機能する。
【００７９】
具体的には、各ガイドプレート２６ｂ，２６ｃ，２６ｄ，２６ｅ，２６ｆ，２６ｇ，２６ｈは、通常状態では、圧縮ダスト搬送路の進行方向に沿うように並行に配される。そして、処理手段１３からの命令にしたがい、例えば、図５に示したように、圧縮ダストを収納させたい切断書類収納部に対応するガイドプレート２６ｅのみを回動させ、目的の切断書類収納部２８ｅに圧縮ダストを導く。すなわち、この場合の搬送制御手段２６は、圧縮ダストが所定の硬さを備えるように圧縮されているという特質を利用して、処理手段１３から送られる制御情報にしたがい、圧縮ダストが運ばれてくる際に、該当する切断書類収納部２８ｅが備えるガイドプレート２６ｅのみが圧縮ダスト搬送路２７に対して斜めに展開して、圧縮ダストをその切断書類収納部２８ｅに導き入れるという制御を行うものである。ただし、切断書類収納部２８ａに圧縮ダストを導く場合には、すべてのガイドプレート２６ｂ，２６ｃ，２６ｄ，２６ｅ，２６ｆ，２６ｇ，２６ｈを作動させないという制御処理を処理手段１３が行う。
【００８０】
また、図５に示したように、ガイドプレート２６ｂ，２６ｃ，２６ｄ，２６ｅ，２６ｆ，２６ｇ，２６ｈを互い違いに配することにより、隣接するガイドプレート同士がゲート（門）の役割を果たし、圧縮ダストの誤誘導を防止している。
【００８１】
なお、搬送制御手段２６の構成は、上述した構成に限られるものではない。例えば、各切断書類収納部２８ａ，２８ｂ，２８ｃ，２８ｄ，２８ｅ，２８ｆ，２８ｇ，２８ｈに連通する複数の連通路を圧縮手段２５の下流側に設け、どの連通路に圧縮ダストを搬入するかを制御する処理を、搬送制御手段２６が行う構成を採用してもよい。
【００８２】
また、図４に示した情報表示部１５は、処理手段１３の制御下において、切断した書類がどの状態区分に該当するかなどの情報を表示する手段である。本実施形態では、キーボードなどの入力手段とともに、液晶などの表示手段と一体的に構成された表示パネルを想定している。この情報表示部１５は、処理手段１３の制御下のもと、必要に応じてシュレッダー１０の利用者から利用者を識別するＩＤ番号などの利用者識別情報を取得する
【００８３】
以下、本発明の動作について、図６乃至図７に基づき説明する。
【００８４】
図６は、用紙発注用シュレッダー１０における書類の区分判定処理およびシュレッダーダストの振り分け処理を示すフローチャートである。図６に示したように、用紙発注用シュレッダー１０の処理手段１３は、切断手段２１により書類を切断する前に、書類記載情報取得手段１４を介して取得した書類記載情報を記憶手段１１に格納すること（Ｓ１）、格納した書類記載情報に基づき、状態区分データベース１１ｂを参照してその書類に対応する状態区分を特定すること（Ｓ２）、切断する書類に対応する区分該当量を特定すること（Ｓ２）、特定した状態区分と区分該当量とを関連付けて、用紙発注のために記憶手段１１に格納すること（Ｓ３）、切断した書類を、その書類の状態区分に応じた切断書類収納部２８に収納する制御情報を搬送制御手段２６に送ること（Ｓ４）、を実行する。
【００８５】
より詳細には、処理手段１３は、切断手段２１が書類を切断する前に、書類記載情報取得手段１４を介して、切断しようとする書類に記載された書類記載情報を取得し、取得した書類記載情報をデジタル画像情報として書類記載情報記憶領域１１ａに格納する（Ｓ１）。
【００８６】
続いて、処理手段１３は、書類記載情報記憶領域１１ａに格納した書類記載情報を読み出し、読み出した書類記載情報に基づき、白黒印刷またはカラー印刷の別を判断する。また、取得した書類記載情報からレイアウト情報などを割り出し、印刷対象面積の比率を測定結果に基づき特定する。そして、白黒印刷であるかカラー印刷であるかの別と、面積比率とに基づき、状態区分データベース１１ｂの状態区分データベースを参照し、書類の状態区分を特定する（Ｓ２）。
【００８７】
また、書類記載情報から、読み込んだ書類画像の輪郭をしきい値処理などにより確定し、書類の用紙サイズを特定する。そして、特定した用紙サイズに基づき、切断する書類に対応する区分該当量を特定する（Ｓ２）。ただし、用紙サイズの特定は、書類記載情報に基づく手法に限られるものではなく、切断される書類の搬送路などに設けられた光センサなどにより切断される書類の用紙サイズを検知する手法を用いてもよい。
【００８８】
続いて、処理手段１３は、特定した状態区分と区分該当量とを関連付けて、後述する用紙発注のために記憶手段１１の所定の領域に格納する（Ｓ３）。
【００８９】
そして、処理手段１３は、特定した状態区分に基づき、切断する書類、または切断した書類を切断書類収納部２８ａ，２８ｂ，２８ｃ，２８ｄ，２８ｅ，２８ｆ，２８ｇ，２８ｈのいずれに収納すべきかを決定し、その書類の状態区分に応じた切断書類収納部にシュレッダーダストを収納するように制御情報を搬送制御手段２６に送信する（Ｓ４）。
【００９０】
例えば、図５に示した搬送制御手段２６を用いた場合には、所定のガイドプレートを回動させ、搬送路２７を斜めに横切るように制御情報を送信する。このように、処理手段１３が、書類の印刷状態に応じた切断書類収納部２８に収納する制御情報を搬送制御手段２６に送る（Ｓ４）ことにより、区分判定処理および振り分け処理が完了する。
【００９１】
以上説明したように、状態区分を特定し、その状態区分に応じた切断書類収納部に切断した書類を収納するので、リサイクル負荷の程度に応じたシュレッダーダストの仕分けができる。これにより、シュレッダーダスト回収後のリサイクルにおいて、書類の印刷面積の大きさによるリサイクル作業負荷が異なるなどの問題を解消し、リサイクル作業の効率化、リサイクル費用の低減などの効果を得られ、用紙発注の際に適正なレートで発注されるというサービスが実現できる。
【００９２】
また、白黒印刷に比べカラー印刷は、カラートナーの脱色が煩雑なため、リサイクル作業負荷が多くなるので、切断した書類を白黒印刷とカラー印刷とに分別して収納することにより、大幅なリサイクル費用の低減が図れる。
【００９３】
次に、用紙発注システム３０側の処理について図７に基づき説明する。本実施形態では、発注情報の生成を用紙発注システム３０側で行うため、上述したシュレッダー１０側での処理を受けて、用紙発注システム３０側で発注情報生成処理および発注情報送信処理が行われる。
【００９４】
図７は、用紙発注システム３０における発注情報生成処理および発注情報送信処理を示すフローチャートである。図７に示したように、用紙発注システム３０の処理手段３３は、書類記載情報取得手段１４を介して取得された書類記載情報に基づき状態区分データベース１１ｂを参照して特定された状態区分と、当該状態区分に該当する書類の区分該当量とを、用紙発注用シュレッダー１０から通信手段３２を介して受け付け、受け付けた当該状態区分と区分該当量とを関連付けて記憶手段３１に格納すること（Ｓ１２）、格納した状態区分と区分該当量とに基づき、区分対応発注量データベース３１ａを参照して発注情報を生成すること（Ｓ１３）、生成した発注情報を外部システムへ通信手段３２を介して送信すること（Ｓ１４）、を実行する。
【００９５】
より詳細には、用紙発注システム３０側での処理の前段階として、用紙発注用シュレッダー１０の処理手段１３は、記憶手段１１の所定の領域に関連付けて格納した、状態区分とその状態区分に該当する区分該当量とを記憶手段１１から読み出し、通信手段１２を介して用紙発注システム３０へ送信する（Ｓ１１）。このとき、処理手段１３は、用紙発注システム３０における情報処理の便宜のため、必要に応じて送信する情報に関連付けてシュレッダー１０の識別情報もしくはシュレッダー１０を利用した利用者の識別情報を送信する。
【００９６】
この用紙発注用シュレッダー１０からの送信は、前述したように、ネットワーク１を介して行われるが、その送信のタイミングは、用紙発注用シュレッダー１０が状態区分や区分該当量を特定した毎に送信するリアルタイム送信であってもよいし、一時間や半日、または１日など、所定の時間間隔または定刻に、まとめて送信する方式を採用してもよい。また、詳細は後述するが、シュレッダー１０の切断書類収納部２８のいずれかのセンサー２９の報知に基づき、回収命令を発信したときに、報知対象となった状態区分と区分該当量を送る方式を採用してもよい。
【００９７】
この用紙発注用シュレッダー１０からの送信を受けて、用紙発注システム３０の処理手段３３は、特定された状態区分と、当該状態区分に該当する書類の区分該当量とを、用紙発注用シュレッダー１０から通信手段３２を介して受け付け、受け付けた当該状態区分と区分該当量とを関連付けて記憶手段３１の所定の領域に格納する（Ｓ１２）。なお、前述したシュレッダー１０の識別情報もしくはシュレッダー１０を利用した利用者の識別情報をあわせて受け付けた場合には、受け付けた当該状態区分等と関連付けて、記憶手段３１の所定の領域に格納する。
【００９８】
そして、処理手段３３は、所定のタイミングで、記憶手段３１の所定の領域に格納した状態区分と区分該当量とを読み出し、読み出した状態区分と区分該当量とに基づき、区分対応発注量データベース３１ａを参照して発注情報を生成し、生成した発注情報を記憶手段３１の所定の領域に格納する（Ｓ１３）。そして、生成した発注情報を、再生紙提供業者などが使用する情報端末４０に代表される外部システムへ通信手段３２を介して送信する（Ｓ１４）。
【００９９】
ここで、生成される発注情報は、用紙を注文する枚数を特定する発注指示を行うための情報であるが、これに限られるものではなく、注文する用紙のうち、再生紙原料として販売した売却費に相当する用紙発注分を相殺するように発注を調整する指示を行うための情報であってもよい。
【０１００】
本実施形態における発注情報の生成の具体的な処理は、以下のとおりである。処理手段３３が、状態区分に関連付けられた区分該当量に区分対応発注量を積算処理して、その状態区分における用紙の発注量を取得する。そして、処理手段３３は、すべての状態区分について同様の積算処理を行い各発注量を確定し、累積的に加算処理して総発注量を特定する。以上の処理を受けて、処理手段３３は、この総発注量を発注情報として、記憶手段３１に格納し、所定のタイミングで用紙発注業者の情報端末４０などの外部システムへ送信する。
【０１０１】
なお、上述した発注を調整する発注情報を用いるケースは、以下のような形態が想定される。例えば、シュレッダー１０から切断により廃棄処理を行った書類の量を取得し、処理した書類の量に応じた用紙の補給を自動的に行うシステムを採用した場合である。この書類の量の取得は、前述した区分該当量に基づき行うことができる。この場合において、処理手段３３は、用紙の総発注分のうち、リサイクル用の原材料としたシュレッダーダストの売却費に相当する用紙発注分を相殺し、支払額を調整するといった処理を行うための発注情報を生成することになる。
【０１０２】
なお、発注情報の生成および送信の時期は、本発明により実現されるサービスの提供者と用紙発注用シュレッダー１０の利用者との間の取り決めにしたがうものとするが、例えば、毎月、所定の日に生成し、送信するようにしてもよいし、発注情報の履歴をも管理すべく、毎日または毎週発注情報を生成し、累積管理の対象とするとともに、所定の期間の経過毎に累積した発注情報をまとめて送信する方式を採用してもよい。
【０１０３】
また、上述したように、用紙発注用シュレッダー１０の処理手段１３と、用紙発注システム３０の処理手段３３とが、複数の処理手段を用いた分散処理システム的に動作することにより、書類に記載された書類記載情報を取得する書類記載情報取得手段１４と、書類を切断する切断手段２１と、書類の印刷状態に応じた状態区分を複数設定した状態区分データベース１１ｂと状態区分に該当する書類の区分該当量を記憶する区分該当量記憶領域１１ｃとを有する記憶手段１１と、記憶手段１１の動作を制御する処理手段１３、および処理手段３３とにより実現されるネットワーク用紙発注方法として、書類記載情報取得手段１４が、切断手段２１が書類を切断する前に、書類の書類記載情報を取得するステップと、処理手段１３が、書類記載情報取得手段１４が取得した書類記載情報に基づき状態区分データベース１１ｂを参照して書類に対応する状態区分を特定するとともに、区分該当量を特定するステップと、処理手段３３が、特定した状態区分と区分該当量とに基づき、用紙の発注情報を生成し、生成した発注情報を外部システムへ通信手段３２を介して送信するステップと、を含むネットワーク用紙発注方法を提供できる。
【０１０４】
本実施形態は、以上のように構成され、機能するので、状態区分を特定し、その状態区分に応じた切断書類収納部に切断した書類を収納することができ、リサイクル負荷の程度に応じたシュレッダーダストの仕分けができる。
【０１０５】
また、状態区分に応じたリサイクル費用に基づく処理を行うことにより、シュレッダー利用者とリサイクル業者、用紙供給業者のそれぞれにとって、合理的かつリーズナブルな用紙供給形態を提供できるとともに、複数の状態区分に基づき発注情報の生成をするので、リサイクル費用を考慮した発注を実現できる。
【０１０６】
そして、書類の状態区分に応じた処理を可能とすることにより、シュレッダーダストの再利用を実現し、かつ、リサイクルコストを状態区分に応じた適切なレベルにまで低減できる。
【０１０７】
加えて、利用者が再生紙の原料となるシュレッダーダストを所定の分別をした上で提供することが可能な環境を構成することにより、リサイクルの一環としてオフィスで使用される用紙の発注／支払業務の一部を、シュレッダーダストの提供により用紙供給の一部の支払を相殺できるという、新しいサービス形態の提供できる。
【０１０８】
なお、本実施形態においては、情報端末４０や、公衆回線２を介したモバイルＰＣ３やインターネット対応携帯電話４を用いて、シュレッダーダストの回収指示および上述した用紙発注を行うシステムを採用している。
【０１０９】
具体的なシュレッダーダストの回収指示処理手順を、モバイルＰＣ３を回収業者が所有する場合を例に説明する。まず、シュレッダー１０の処理手段１３は、センサー２９からの報知に基づき、いずれの状態区分に該当する切断書類収納部２８が満杯になったかを示す報知情報を生成する。例えば、センサー２９ａが報知した場合には、切断書類収納部２８ａが満杯になったことを表す報知情報を生成する。そして、処理手段１３は、シュレッダー１０に固有の識別情報を記憶手段１１の所定の領域から取得し、その識別情報に関連付けて報知情報を外部へ送信する。ここで、処理手段１３が報知情報を送信する先は、例えば、用紙発注システム３０が回収処理まで統括管理している場合には、用紙発注システム３０となり、自動的に回収業者に指示を送る場合には、直接的にモバイルＰＣ３へ送信する。なお、回収処理を管理するサーバをネットワーク１に接続し、そのサーバに送信する構成を採用してもよいことは言うまでもない。
【０１１０】
そして、モバイルＰＣ３は、報知情報を用紙発注システム３０経由などで取得し、シュレッダー１０の識別情報に基づき設置場所を特定し、報知情報とともに設置場所などの情報を表示する。
【０１１１】
以上により、回収指示処理が完了する。
【０１１２】
続いて、用紙発注処理について、用紙供給業者が情報端末４０を使用している場合を例に説明する。前述したように、処理手段３３は発注情報を生成し、外部システムである情報端末４０へ生成した発注情報を送信する。このとき、利用者識別情報あるいはシュレッダー識別情報を発注情報に関連付けて送信する。
【０１１３】
情報端末４０の処理手段４３は、通信手段４２を介して発注情報を受け付け、受け付けた発注情報を記憶手段４１の所定の領域に格納する。そして、処理手段４３は、格納した発注情報に基づき発注指示画面制御情報を作成し、表示手段４４に発注指示画面を表示する。用紙供給業者は、この発注指示画面にしたがい、シュレッダー１０の利用者へ用紙を配送する処理を行う。
【０１１４】
以上により、用紙発注処理が完了する。
【０１１５】
なお、配送する用紙の種類は、用紙発注システム３０が備える区分対応発注量データベース３１ａに応じて定められることになる。すなわち、区分対応発注量データベース３１ａが、上質紙を取引対象として、区分対応発注量のレートを定めるか、再生紙を取引対象として定めるかにより決定される。ただし、リサイクルシステムとしては、再生紙についての区分対応発注量データベースであることが、より好適であると言える。
【０１１６】
〔第２実施形態〕
【０１１７】
本発明にかかる第２実施形態を図８および図９に基づき説明する。
【０１１８】
図８は、本実施形態にかかる用紙発注用シュレッダー５０および用紙発注システム６０が接続されたネットワークの全体を示すブロック図である。図８において、前述した第１実施形態と同一の構成部分については、同一の符号を付して重複説明を省略する。
【０１１９】
図８に示したように、本実施形態では、第１実施形態と異なり、用紙発注用シュレッダー５０の記憶手段１６が、書類記載情報記憶領域１１ａのみを備え、用紙発注システム６０の記憶手段３４が、区分対応発注量データベース３１ａに加え、状態区分データベース１１ｂと区分該当量記憶領域１１ｃとを所定の領域に備える構成を採用する。なお、用紙発注用シュレッダー５０の概略構成は、本実施形態においても、図４に示した構成と同様の構成を採用する。
【０１２０】
ここで、記憶手段１６および記憶手段３４は、例えばＲＡＭ、ＲＯＭ、ＨＤＤ等のデータを格納することができる記憶媒体を備えるものであり、特定の一の媒体に限られるものではなく、複数の記憶媒体を組み合わせた構成であってもよい。
【０１２１】
なお、本実施形態における切断する書類の状態区分に応じた切断書類収納部２８への収納は、前述した第１実施形態と同様に行ってもよいし、情報表示部１５を介した切断書類収納部２８の特定を受け付ける構成としてもよい（図４参照）。
【０１２２】
本実施形態におけるネットワーク全体での動作を図９に基づき説明する。図９は、本実施形態にかかる用紙発注情報生成・送信処理を示すフローチャートである。
【０１２３】
図９に示したように、まず、用紙発注用シュレッダー５０の処理手段１３は、記憶手段１６の書類記載情報記憶領域１１ａから書類記載情報取得手段１４が取得した書類記載情報を読み出し、読み出した書類記載情報を用紙発注システム６０へ通信手段１２を介して送信する（Ｓ２１）。
【０１２４】
そして、用紙発注システム６０の処理手段３３は、書類記載情報取得手段１４が取得した書類記載情報を、用紙発注用シュレッダー５０から通信手段３２を介して受け付け、受け付けた書類記載情報を記憶手段３４の所定の領域に格納する（Ｓ２２）。続いて、処理手段３３は、格納した書類記載情報に基づき記憶手段３４の状態区分データベース１１ｂを参照して当該書類に対応する状態区分を特定する（Ｓ２３）。
【０１２５】
また、処理手段３３は、書類記載情報に対応する区分該当量を特定する（Ｓ２３）。ただし、この区分該当量の特定は、用紙発注用シュレッダー５０から受け付けた書類記載情報に基づき、用紙サイズを判定して特定する方法に限られず、用紙発注用シュレッダー５０から送信された用紙サイズ情報を用いて書類記載情報の区分該当量を算出してもよい。
【０１２６】
この後、処理手段３３は、特定した状態区分と区分該当量とを記憶手段３４の所定の領域に格納し（Ｓ２４）、所定のタイミングで、記憶手段３４の所定の領域に格納した、特定した状態区分と区分該当量とに基づき、発注情報を生成し、生成した発注情報を記憶手段３４の所定の領域に格納する（Ｓ２５）。そして、処理手段３３は、生成した発注情報を外部システムへ通信手段３２を介して送信する（Ｓ２６）。
【０１２７】
なお、本実施形態においても、発注情報の生成・送信の方法として、前述した第１の実施形態と同様の方法を採用する。また、必要に応じてシュレッダー５０の識別情報またはシュレッダー５０の利用者の識別情報を用いて発注情報を管理する点も同様である。
【０１２８】
以上説明した構成および処理手順を採用することによっても、状態区分に応じたリサイクル費用に基づく処理を行うことにより、シュレッダー利用者とリサイクル業者、用紙供給業者のそれぞれにとって、合理的かつリーズナブルな用紙供給形態を提供できる。
【０１２９】
ここで、本実施形態においては、前述したように書類記載情報を記憶手段３４が取得する構成を採用したことに伴い、切断する書類の書類記載情報を保管するサービスをあわせて提供する。具体的には、指紋読込装置など、個人認証用の認証情報取得手段を用紙発注用シュレッダー５０に設ける。そして、用紙発注用シュレッダー５０の処理手段１３は、用紙発注用シュレッダー５０の利用者から認証情報として指紋画像を取得する。取得した認証情報は、記憶手段１６の所定の領域に一時的に格納する。また、処理手段１３は、前述したように、書類記載情報取得手段１４を介して書類記載情報を取得するとともに、前述した認証情報取得手段を介して取得した認証情報を、書類記載情報と関連付けて記憶手段１６の所定の領域に格納する。
【０１３０】
このように、利用者を認証するための認証情報を書類記載情報と関連付けることにより、書類記載情報の個別性、識別性を向上させることができ、認証におけるセキュリティをより高いものにできる。
【０１３１】
そして、用紙発注システム６０側では、前述したように、処理手段３３が、用紙発注用シュレッダー５０から受け付けた書類記載情報を、通信手段３２を介して受け付けるが、これと同じく、前述した認証情報を書類記載情報と関連付けて通信手段３２を介して受け付ける。そして、受け付けた認証情報を書類記載情報と関連付けて記憶手段３４の所定の領域に格納する。
【０１３２】
以上のように処理することにより、認証情報を用いたセキュリティ下で、書類記載情報を管理することができ、利用者の求めに応じて閲覧等に応じることも可能となる。
【０１３３】
また、書類記載情報に関連付けられた認証情報により、書類記載情報を提供した利用者を特定することもできので、利用者に固有の解析用データを取得できるシステムを構築できる。具体的には、前述したように、処理手段３３は、シュレッダー５０から書類記載情報を受け付けるとともに、書類記載情報を提供した利用者に固有の認証情報を受け付ける。そして、処理手段３３は、書類記載情報と認証情報との関連付けを利用し、受け付けた認証情報と、書類記載情報に基づき特定した状態区分と区分該当量を関連付ける。また、その関連付けに基づき、状態区分と区分該当量に基づき生成する発注情報と受け付けた認証情報とを関連付ける。そして、処理手段３３は、認証情報と状態区分と区分該当量、発注情報とを関連付けて記憶手段３４の所定の領域に格納する。
【０１３４】
そして、所定のタイミングで、処理手段３３は、認証情報に基づき、その関連付けにしたがって、状態区分と区分該当量、そして発注情報を記憶手段３４の所定の領域から読み出し、解析用データを生成する。生成された解析用データは、記憶手段３４の所定の領域に格納され、必要に応じて閲覧等の利用に供される。
【０１３５】
なお、解析用データとして必要な情報が状態区分と区分該当量のみ、または発注情報のみの場合は、いずれか必要なパラメータと認証情報を関連付け、記憶手段３４の所定の領域に格納すればよい。この場合、そのパラメータ（例えば発注情報）のみについて、認証情報に基づき記憶手段３４の所定の領域から読み出し、読み出したパラメータについて解析用データを生成する。
【０１３６】
また、認証情報との関連付けは、直接的に関連付けるものに限られず、例えば、書類記載情報のファイル名などを介在させた間接的な関連付けであってもよい。
【０１３７】
これにより、認証情報という固体識別に秀でた利用者特定情報を用いて生成された、利用者毎の確実な解析用データを利用することが可能となる。ひいては、同一のシュレッダー５０を用いたとしても、利用者毎の利用履歴やリサイクル原材料の提供履歴、さらには用紙発注の履歴などなどを取得することが可能となり、顧客動向分析など営業上の有益な情報の蓄積を実現できる。
【０１３８】
なお、このような書類記載情報管理機構を前述した第１実施形態に付随させる構成としてもよいことは言うまでもない。
【０１３９】
〔変形例〕
【０１４０】
本発明は、前述した第１実施形態や第２実施形態に限られるものではない。例えば、図１に示したシュレッダー１０が、記憶手段１１に区分対応発注量データベース３１ａを備える構成を採用してもよい。この場合、図６に示した処理手順に加えて、さらに、シュレッダー１０の処理手段１３が、特定した状態区分と区分該当量とに基づき、記憶手段１１が備える区分対応発注量データベース３１ａを参照して発注情報を生成し、生成した発注情報を記憶手段１１の所定の領域に格納するとともに、用紙供給業者が使用する情報端末もしくはサーバなどの外部システムへ発注情報を送信する。
【０１４１】
よって、本変形例の構成では、シュレッダー１０がスタンドアローン的に発注情報の生成・送信まで行うので、自律制御的な用紙発注ネットワークを確立でき、簡易な構成でシステム運営を行うことができる。
【０１４２】
【発明の効果】
本発明は、以上のように構成され、機能するので、シュレッダーダストの再利用を実現し、かつ、リサイクルの一環として、リサイクル原材料の提供に応じて用紙の発注／支払業務の煩雑さを解消できる新しいサービスを提供することができる。
【図面の簡単な説明】
【図１】本発明にかかる第１実施形態の用紙発注システムが接続されたネットワーク全体を示すブロック図である。
【図２】状態区分データベースのデータ構造の一例を示すデータ構造図である。
【図３】区分対応発注量データベースのデータ構造の一例を示すデータ構造図である。
【図４】本発明にかかるシュレッダーの概略構成図である。
【図５】図４に示したシュレッダーの搬送制御手段の構成の一例を示した概略構成図である。
【図６】シュレッダーにおける書類の区分判定処理およびシュレッダーダストの振り分け処理を示すフローチャートである。
【図７】用紙発注システムにおける用紙発注情報生成・送信処理を示すフローチャートである。
【図８】本発明にかかる第２実施形態の用紙発注システムが接続されたネットワーク全体を示すブロック図である。
【図９】図８に示したシステムの用紙発注情報生成・送信処理を示すフローチャートである。
【符号の説明】
１      ネットワーク
２      ネットワーク
３      モバイルＰＣ
４      携帯電話
１０    用紙発注用シュレッダー
１１    記憶手段
１１ａ  書類記載情報記憶領域
１１ｂ  状態区分データベース
１１ｃ  区分該当量記憶領域
１２    通信手段
１３    処理手段
１４    書類記載情報取得手段
１５    情報表示部
１６    記憶手段
１８    ストッカー
１９    差込口
２０    書類搬送路
２１ａ  カッター
２１    切断手段
２２    搬送用小型ローラ
２３    切断ダスト搬送路
２４    搬送用大型ローラ
２５    圧縮手段
２６    搬送制御手段
２７    圧縮ダスト搬送路
２８    切断書類収納部
２９    センサー
３０    用紙発注システム
３１    記憶手段
３１ａ  区分対応発注量データベース
３２    通信手段
３３    処理手段
３４    記憶手段
４０    情報端末
４１    記憶手段
４２    通信手段
４３    処理手段
４４    表示手段
４５    入力手段
５０    用紙発注用シュレッダー
６０    用紙発注システム
【図１】
0004330824.tif 000002
【図２】
0004330824.tif 000003
【図３】
0004330824.tif 000004
【図４】
0004330824.tif 000005
【図５】
0004330824.tif 000006
【図６】
0004330824.tif 000007
【図７】
0004330824.tif 000008
【図８】
0004330824.tif 000009
【図９】
0004330824.tif 000010